【手続補正書】
【提出日】平成18年4月26日(2006.4.26)
【手続補正１】
【補正対象書類名】明細書
【補正対象項目名】００５８
【補正方法】変更
【補正の内容】
【００５８】
〔形態２７〕また、形態２７の印刷方法は、 
形態２０〜２６のいずれかに記載の印刷方法において、前記データ変換ステップは、前記バンディング現象に関与するドットのサイズを変更するときは、サイズを変更しないときのドットサイズと変更後のドットサイズとの誤差を、未処理のドットに拡散すると共に、拡散後の値に基づいて当該ドットのサイズを変換するようになっていることを特徴とするものである。 
これによって、形態８と同様に修正箇所の面積階調を他の部分と同じにするだけでなく、修正箇所と他の部分との境目が目立たなくなり、より自然な画像を得ることができる。
【手続補正２】
【補正対象書類名】明細書
【補正対象項目名】００６２
【補正方法】変更
【補正の内容】
【００６２】
〔形態３０〕また、形態３０の印刷データ生成装置は、 
印字ヘッドによって印刷媒体上に複数のドットを印刷して所定の画像を形成するようにした印刷装置であって、 
前記所定の画像に対応する画像データを取得する画像データ取得手段と、当該画像データ取得手段で取得した前記画像データを当該画像データの各画素ごとに前記ドットの有り無しの少なくともいずれか一方に関する印刷用データに変換するデータ変換手段と、前記印字ヘッドの特性情報を把握する印字ヘッド把握手段と、を備え、 
前記データ変換手段は、前記印字ヘッド把握手段で把握した前記印字ヘッドの特性情報に基づいてバンディング現象の発生が予想されるときは、前記バンディング現象に関与する一部あるいは全部のドットのサイズを前記バンディング現象の発生が予想されないときのドットのサイズよりも大きくするように前記画像データを変換するようになっていることを特徴とするものである。 
これによって、いわゆる飛行曲がり現象によって発生するバンディング現象を解消または殆ど目立たなくすることができる。
【手続補正３】
【補正対象書類名】明細書
【補正対象項目名】００６５
【補正方法】変更
【補正の内容】
【００６５】
〔形態３３〕また、形態３３の印刷データ生成装置は、 
印字ヘッドによって印刷媒体上に複数のドットを印刷して所定の画像を形成する印刷装置で用いる印刷用のデータを生成する印刷データ生成装置であって、 
前記所定の画像に対応する画像データを取得する画像データ取得手段と、当該画像データ取得手段で取得した前記画像データを当該画像データの各画素ごとに前記ドットの有り無しの少なくともいずれか一方に関する印刷用データに変換するデータ変換手段と、前記印字ヘッドの特性情報を把握する印字ヘッド把握手段と、を備え、 
前記データ変換手段は、前記印字ヘッド把握手段で把握した前記印字ヘッドの特性情報に基づいてバンディング現象の発生が予想されるときは、前記バンディング現象に関与する一部あるいは全部のドットのサイズを前記バンディング現象の発生が予想されないときのドットのサイズよりも小さくするように前記画像データを変換するようになっていることを特徴とするものである。
これによって、いわゆる飛行曲がり現象によって発生するバンディング現象を解消または殆ど目立たなくすることができる。すなわち、後述する形態のように「濃いスジ」付近のドットのサイズを正常のドットサイズ（バンディング現象の発生が予想されないときのドットサイズ）よりも小さくすることで「濃いスジ」を解消または殆ど目立たなくすることができる。
【手続補正４】
【補正対象書類名】明細書
【補正対象項目名】００７４
【補正方法】変更
【補正の内容】
【００７４】
〔形態３９〕また、形態３９の印刷データ生成プログラムは、 
形態３８に記載の印刷データ生成プログラムにおいて、前記データ変換手段は、前記バンディング現象に関与する一部のドットに対して、隣接するドット同士で大きく変換されるドットが連続しないようになっていることを特徴とするものである。
【手続補正５】
【補正対象書類名】明細書
【補正対象項目名】００８２
【補正方法】変更
【補正の内容】
【００８２】
〔形態４５〕次に、形態４５の印刷データ生成方法は、 
印字ヘッドによって印刷媒体上に複数のドットを印刷して所定の画像を形成する印刷装置で用いる印刷用のデータを生成する印刷データ生成方法であって、 
前記所定の画像に対応する画像データを取得する画像データ取得ステップと、当該画像データ取得ステップで取得した前記画像データを当該画像データの各画素ごとに前記ドットの有り無しの少なくともいずれか一方に関する印刷用データに変換するデータ変換ステップと、前記印字ヘッドの特性情報を把握する印字ヘッド把握ステップと、を含み、 
前記データ変換ステップは、前記印字ヘッド把握ステップで把握した前記印字ヘッドの特性情報に基づいてバンディング現象の発生が予想されるときは、前記バンディング現象に関与する一部あるいは全部のドットのサイズを前記バンディング現象の発生が予想されないときのドットのサイズよりも変化させるように前記画像データを変換することを特徴とするものである。 
これによって、形態２７と同様に「白スジ」や「濃いスジ」が低減して、飛行曲がり現象によるバンディング現象を解消または殆ど目立たなくすることができる。
【手続補正６】
【補正対象書類名】明細書
【補正対象項目名】００８３
【補正方法】変更
【補正の内容】
【００８３】
〔形態４６〕また、形態４６の印刷データ生成方法は、 
印字ヘッドによって印刷媒体上に複数のドットを印刷して所定の画像を形成する印刷装置で用いる印刷データを生成する印刷データ生成方法であって、 
前記所定の画像に対応する画像データを取得する画像データ取得ステップと、当該画像データ取得ステップで取得した前記画像データを当該画像データの各画素ごとに前記ドットの有り無しの少なくともいずれか一方に関する印刷用データに変換するデータ変換ステップと、前記印字ヘッドの特性情報を把握する印字ヘッド把握ステップと、を含み、 
前記データ変換ステップは、前記印字ヘッド把握ステップで把握した前記印字ヘッドの特性情報に基づいて求められる飛行曲がり量が所定の閾値よりも大きい箇所があるときは、当該飛行曲がり現象に関与する一部あるいは全部のドットのサイズを、前記飛行曲がり量が所定の閾値よりも小さいときのドットのサイズとは異なるサイズに変化させるように前記画像データを変換することを特徴とするものである。
これによって、形態２８と同様に、いわゆる飛行曲がり現象によって発生するバンディング現象を解消または殆ど目立たなくすることができる。
【手続補正７】
【補正対象書類名】明細書
【補正対象項目名】００８４
【補正方法】変更
【補正の内容】
【００８４】
〔形態４７〕また、形態４７の印刷データ生成方法は、 
印字ヘッドによって印刷媒体上に複数のドットを印刷して所定の画像を形成する印刷装置で用いる印刷データを生成する印刷データ生成方法であって、 
前記所定の画像に対応する画像データを取得する画像データ取得ステップと、当該画像データ取得ステップで取得した前記画像データを当該画像データの各画素ごとに前記ドットの有り無しの少なくともいずれか一方に関する印刷用データに変換するデータ変換ステップと、前記印字ヘッドの特性情報を把握する印字ヘッド把握ステップと、を含み、 
前記データ変換ステップは、前記印字ヘッド把握ステップで把握した前記印字ヘッドの特性情報に基づいてバンディング現象の発生が予想されるときは、前記バンディング現象に関与する一部あるいは全部のドットのサイズを前記バンディング現象の発生が予想されないときのドットのサイズよりも大きくするように前記画像データを変換することを特徴とするものである。 
これによって、形態２９と同様にいわゆる飛行曲がり現象によって発生するバンディング現象を解消または殆ど目立たなくすることができる。 
【手続補正８】
【補正対象書類名】明細書
【補正対象項目名】００８５
【補正方法】変更
【補正の内容】
【００８５】
〔形態４８〕また、形態４８の印刷データ生成方法は、 
形態４７に記載の印刷データ生成方法において、前記データ変換ステップは、前記バンディング現象に関与する一部のドットに対して、隣接するドット同士で大きく変換されるドットが連続しないようにしたことを特徴とするものである。 
これによって、形態３０と同様に「白スジ」を確実に消すと同時にその部分の濃度が濃くなって却って目立ってしまうといった不都合も同時に回避することができる。
【手続補正９】
【補正対象書類名】明細書
【補正対象項目名】００８６
【補正方法】変更
【補正の内容】
【００８６】
〔形態４９〕また、形態４９の印刷データ生成方法は、 
形態４７に記載の印刷データ生成方法において、前記データ変換ステップは、前記バンディング現象に関与する一部のドットのサイズを大きくするときは、大きく変更したドット近傍のドットを印刷しないように前記画像データを変換することを特徴とするものである。 
これによって、形態３１と同様にバンディング現象による「白スジ」や「濃いスジ」を解消または殆ど目立たなくできるだけでなく、その部分の面積階調が他の部分と大きく異なることがなくなるため、処理を行った形跡なども確実に消すことができる。 
【手続補正１０】
【補正対象書類名】明細書
【補正対象項目名】００８７
【補正方法】変更
【補正の内容】
【００８７】
〔形態５０〕また、形態５０の印刷データ生成方法は、 
印字ヘッドによって印刷媒体上に複数のドットを印刷して所定の画像を形成する印刷装置で用いる印刷データを生成する印刷データ生成方法であって、 
前記所定の画像に対応する画像データを取得する画像データ取得ステップと、当該画像データ取得ステップで取得した前記画像データを当該画像データの各画素ごとに前記ドットの有り無しの少なくともいずれか一方に関する印刷用データに変換するデータ変換ステップと、前記印字ヘッドの特性情報を把握する印字ヘッド把握ステップと、を含み、 
前記データ変換ステップは、前記印字ヘッド把握ステップで把握した前記印字ヘッドの特性情報に基づいてバンディング現象の発生が予想されるときは、前記バンディング現象に関与する一部あるいは全部のドットのサイズを前記バンディング現象の発生が予想されないときのドットのサイズよりも小さくするように前記画像データを変換することを特徴とするものである。 
これによって、形態３２と同様に「濃いスジ」付近のドットのサイズを正常のドットサイズよりも小さくすることで「濃いスジ」を解消または殆ど目立たなくすることができる。
【手続補正１１】
【補正対象書類名】明細書
【補正対象項目名】００８８
【補正方法】変更
【補正の内容】
【００８８】
〔形態５１〕また、形態５１の印刷データ生成方法は、 
形態５０に記載の印刷データ生成方法において、前記データ変換ステップは、前記バンディング現象に関与する一部のドットに対して、隣接するドット同士で小さく変換されるドットが連続しないようにしたことを特徴とするものである。 
これによって、形態３２と同様に「濃いスジ」を確実に消すと同時にその部分の濃度が
薄くなって却って目立ってしまうといった不都合も同時に回避することができる。 
【手続補正１２】
【補正対象書類名】明細書
【補正対象項目名】００８９
【補正方法】変更
【補正の内容】
【００８９】
〔形態５２〕また、形態５２の印刷データ生成方法は、 
形態４５〜５１のいずれかに記載の印刷データ生成方法において、前記データ変換ステップは、前記バンディング現象に関与するドットのサイズを変更するときは、サイズを変更しないときのドットサイズと変更後のドットサイズとの誤差を、未処理のドットに拡散すると共に、拡散後の値に基づいて当該ドットのサイズを変換するようになっていることを特徴とするものである。 
これによって、形態８と同様に修正箇所の面積階調を他の部分と同じにするだけでなく、修正箇所と他の部分との境目が目立たなくなり、より自然な画像を得ることができる。